(57)【要約】【課題】多岐にわたるゴルフボールを良好に染色することのできる、ゴルフボールの染色液、および、簡易な操作によりゴルフボールを均一に染色することのできるゴルフボールの染色装置を提供すること。【解決手段】アルコール類５〜６０重量部、水９５〜４０重量部、および、アルコール類および水の合計に対して０．０００１〜１．０重量％の塩基性染料を含有させることにより、染色液Ｌを調製する。この染色液Ｌを染色容器４に満たし、次いで、この染色容器４内に、ゴルフボールＢを保持したホルダフレーム２を配置して周方向に回転させることにより攪拌し、これによって、ゴルフボールＢを染色する。染色の終了後は、ホルダフレーム２を染色容器４から取り出して、リリース杆３を引き抜けば、ゴルフボールＢを自重によりホルダフレーム２から脱離させることができる。【選択図】    図２
2004180921.tif 000002
【特許請求の範囲】
【請求項１】
アルコール類５〜６０重量部、水９５〜４０重量部、および、塩基性染料を含有することを特徴とする、ゴルフボールの染色液。
【請求項２】
前記アルコール類と水との合計に対して、前記塩基性染料を０．０００１〜１．０重量％含有することを特徴とする、請求項１に記載のゴルフボールの染色液。
【請求項３】
前記アルコール類が、エチルアルコールであることを特徴とする、請求項１または２に記載のゴルフボールの染色液。
【請求項４】
ゴルフボールを保持するホルダフレームと、前記ホルダフレームに対して進退自在に挿入されるリリース杆とを備え、
前記リリース杆が前記ホルダフレームに挿入されている状態では、ゴルフボールが前記リリース杆と前記ホルダフレームとの間で係止され、
前記リリース杆が前記ホルダフレームから引き抜かれている状態では、ゴルフボールが前記ホルダフレームから脱離されるように構成されていることを特徴とする、ゴルフボールの染色装置。
【請求項５】
前記ホルダフレームは、ゴルフボールを外側で係止する環状の係止リングを備え、
前記リリース杆が、前記係止リングの中心において、ゴルフボールを内側で係止可能なように、前記ホルダフレームに対して進退自在に挿入されていることを特徴とする、請求項４に記載のゴルフボールの染色装置。
【請求項６】
前記ホルダフレームは、前記係止リングの上方において所定間隔を隔てて配置される環状の外周リングと、
前記外周リングおよび前記係止リングとを連結し、ゴルフボールの移動を規制する規制杆とを備えていることを特徴とする、請求項４または５に記載のゴルフボールの染色装置。
【請求項７】
前記ホルダフレームおよび染色液を収容する染色容器を備えており、
前記染色容器は、前記ホルダフレームの前記外周リングとの間に所定の隙間が形成される有底円筒形状に形成されていることを特徴とする、請求項６に記載のゴルフボールの染色装置。
【発明の詳細な説明】
【０００１】
【発明の属する技術分野】
本発明は、ゴルフボールの染色液およびゴルフボールの染色装置に関する。
【０００２】
【従来の技術】
従来より、白色のゴルフボールを染色することが知られており、例えば、特開昭５８−１４３７６９号公報には、水、アルコール、あるいは、アルコールおよび水の混合液（アルコール８：水２）に塩基性染料を配合し、これにゴルフボールを浸漬することにより、ゴルフボールを染色することが提案されている。
【０００３】
【特許文献１】
特開昭５８−１４３７６９号公報
【発明が解決しようとする課題】
しかし、近年、ゴルフボールは、飛距離を延ばしたり、あるいは、芝生に着地したときの適度の転がりを確保するために、その表面のカバーの材質やディンプル形状が多岐にわたって開発されており、上記の方法では、そのような多岐にわたるゴルフボールを、必ずしも良好に染色することができないという不具合がある。
【０００４】
また、上記した方法によって、ゴルフボールを染色する場合には、ゴルフボールを染色液に浸漬すればよいが、染色時において、染色液が手に付着するなどユーザが自身で染色するには煩雑であり、また、単にゴルフボールを染色液に浸漬するのみでは、均一に染色できないという不具合がある。
【０００５】
そこで、本発明は、このような不具合に鑑みなされたもので、その目的とするところは、多岐にわたるゴルフボールを良好に染色することのできる、ゴルフボールの染色液、および、簡易な操作によりゴルフボールを均一に染色することのできるゴルフボールの染色装置を提供することにある。
【０００６】
【課題を解決するための手段】
上記目的を達成するため、本発明のゴルフボールの染色液は、アルコール類５〜６０重量部、水９５〜４０重量部、および、塩基性染料を含有することを特徴としている。
【０００７】
また、本発明のゴルフボールの染色液は、前記アルコール類と水との合計に対して、前記塩基性染料を０．０００１〜１．０重量％含有することが好ましい。
【０００８】
さらに、本発明のゴルフボールの染色液は、前記アルコール類が、エチルアルコールであることが好ましい。
【０００９】
また、本発明は、ゴルフボールを保持するホルダフレームと、前記ホルダフレームに対して進退自在に挿入されるリリース杆とを備え、前記リリース杆が前記ホルダフレームに挿入されている状態では、ゴルフボールが前記リリース杆と前記ホルダフレームとの間で係止され、前記リリース杆が前記ホルダフレームから引き抜かれている状態では、ゴルフボールが前記ホルダフレームから脱離されるように構成されている、ゴルフボールの染色装置を含んでいる。
【００１０】
このような染色装置によると、まず、リリース杆をホルダフレームに挿入した状態で、ゴルフボールをホルダフレームとリリース杆との間で係止させ、その後、ホルダフレームを染色液に浸漬して攪拌すれば、ゴルフボールをホルダフレームによって保持した状態で攪拌しながら染色することができる。そのため、ゴルフボールを均一に染色することができる。
【００１１】
そして、染色の終了後には、ホルダフレームを染色液から取り出して、リリース杆をホルダフレームから引き抜けば、ゴルフボールがホルダフレームから脱離されるので、ホルダフレームから、染色されたゴルフボールを、直接手で取り出す必要がなく、染色液が手に付着することを回避して、簡易な操作によって、ゴルフボールを均一に染色することができる。
【００１２】
そのため、本発明のゴルフボールの染色装置によれば、ユーザ自身が、簡易な操作により、ゴルフボールを自分の好みに応じた色に、きれいに染色することができる。
【００１３】
また、本発明のゴルフボールの染色装置では、前記リリース杆が、前記係止リングの中心において、ゴルフボールを内側で係止可能なように、前記ホルダフレームに対して進退自在に挿入されていることが好ましい。
【００１４】
リリース杆を、係止リングの中心に配置すれば、リリース杆を中心として、その周囲に複数のゴルフボールを保持して、一度に複数のゴルフボールを染色することができる。また、染色の終了後においても、リリース杆をホルダフレームから引き抜けば、複数のゴルフボールを一度にホルダフレームから脱離させることができる。その結果、ゴルフボールの染色作業の効率化および短縮化を図ることができる。
【００１５】
また、本発明のゴルフボールの染色装置では、前記ホルダフレームは、前記係止リングの上方において所定間隔を隔てて配置される環状の外周リングと、前記外周リングおよび前記係止リングとを連結し、ゴルフボールの移動を規制する規制杆とを備えていることが好ましい。
【００１６】
このような構成によると、ホルダフレームを染色液に浸漬して攪拌するときに、ホルダフレームを周方向に回転させれば、規制杆が、ホルダフレーム内におけるゴルフボールの移動を規制するので、ゴルフボールは、移動が規制された状態で、転がりながら周方向に移動する。そのため、より一層、均一な染色を確保することができる。
【００１７】
また、本発明のゴルフボールの染色装置は、前記ホルダフレームおよび染色液を収容する染色容器を備えており、前記染色容器は、前記ホルダフレームの前記外周リングとの間に所定の隙間が形成される有底円筒形状に形成されていることが好ましい。
【００１８】
このような染色容器に、染色液を満たすとともに、ゴルフボールが保持されたホルダフレームを配置して攪拌させると、染色容器の外周壁に沿ってホルダフレームを円滑に回転させることができる。そのため、攪拌効率を向上させることができ、より一層、均一な染色を確保することができる。
【００１９】
【発明の実施の形態】
本発明のゴルフボールの染色液には、アルコール類５〜６０重量部、水９５〜４０重量部、および、塩基性染料が含有されている。
【００２０】
本発明において、アルコール類としては、例えば、メチルアルコール、エチルアルコール、プロピルアルコール、イソプロピルアルコールなどが挙げられる。これらアルコール類は、単独で用いてもよく、また、２種以上併用してもよい。好ましくは、エチルアルコールが用いられる。
【００２１】
本発明において、塩基性染料とは、色素イオンがカチオンである水溶性染料であって、例えば、Ａｉｚｅｎ  Ｖｉｃｔｏｒｉａ  Ｐｕｒｅ  Ｂｌｕｅ  ＢＯＨ（商品名）、Ａｉｚｅｎ  Ｄｉａｍｏｎｄ  Ｇｒｅｅｎ  ＧＨ（商品名）、Ａｉｚｅｎ  Ａｓｔｒａ  Ｐｈｌｏｘｉｎｅ  ＦＦ  Ｃｏｎｃ（商品名）、Ａｉｚｅｎ  Ｃａｔｈｉｌｏｎ  Ｏｒａｎｇｅ  ＧＬＨ  ２００％（商品名）、Ａｉｚｅｎ  Ｃｒｙｓｔａｌ  Ｖｉｏｌｅｔ  Ｐｏｗｄｅｒ（商品名）（以上、保土谷化学工業社製）、例えば、Ａｓｔｒａｚｏｎ  Ｒｏｔ  ＧＴＬＮ  ２００％  Ｍｉｃｒｏ（商品名）、Ａｓｔｒａｚｏｎ  Ｇｏｌｄｅｎ  Ｙｅｌｌｏｗ  ＧＬ−ＥＭｉｃｒｏ  ２００％（商品名）、Ａｓｔｒａｚｏｎ  Ｂｌｕｅ  ＢＧ−Ｓ  ２００％（商品名）（以上、ダイスタージャパン社製）、例えば、Ｋａｙａｃｒｙｌ  Ｌｉｇｈｔ  Ｂｌｕｅ  ４ＧＳＬ（商品名）、Ｋａｙａｃｒｙｌ  Ｂｒｉｌｌ．  Ｐｉｎｋ  Ｂ２００（商品名）、Ｋａｙａｃｒｙｌ  Ｒｈｏｄａｍｉｎｅ  ＢＬ−ＥＤ（商品名）（以上、日本化薬社製）、例えば、Ｓｐｅｃｉａｌ  Ｇ．Ｙｅｌｌｏｗ  ＧＬ  ＦＷ．ＵＮＧ．（商品名）、Ｓｐｅｃｉａｌ  ＲｅｄＫ−３Ｇ（商品名）（以上、バイエル社製）など商業的に入手可能な塩基性染料が挙げられる。これら塩基性染料は、単独で用いてもよく、また、２種以上併用してもよい。
【００２２】
なお、塩基性染料は、その構造上、例えば、オーラミンなどのジアリールメタン系塩基性染料、例えば、メチルバイオレット、クリスタルバイオレット、マラカイトグリーンなどのトリアリールメタン系塩基性染料、例えば、ローダミンＢなどのキサンテン系塩基性染料、例えば、メチレンブルーなどのチアジン系塩基性染料、例えば、サフラニンＴなどのアジン系塩基性染料、例えば、クリソイジン、ビスマルクブラウンなどのアゾ系塩基性染料などに分類され、本発明においては、これらを適宜選択して用いることができる。
【００２３】
そして、本発明のゴルフボールの染色液では、アルコール類が、５〜６０重量部、好ましくは、１０〜４５重量部であり、水が、９５〜４０重量部、好ましくは、９０〜５５重量部となるように配合される。
【００２４】
アルコール類の配合割合が５重量部未満になる（水の配合割合が９５重量部を超える）と、ゴルフボールを染色することが困難となり、また、アルコール類の配合割合が６０重量部を超える（水の配合割合が４０重量部未満になる）と、ゴルフボールの表面を均一に染色することが困難になる。
【００２５】
そして、本発明のゴルフボールの染色液には、このようにして配合されたアルコール類と水との合計に対して、塩基性染料が、例えば、０．０００１〜１．０重量％、好ましくは、０．０００２〜０．８重量％配合される。
【００２６】
塩基性染料の配合割合が０．０００１重量％未満になると、ゴルフボールの表面を着色するのが困難となる場合があり、１．０重量％を超えると、ゴルフボールの表面を均一に染色することが困難となる場合がある。
【００２７】
本発明のゴルフボールの染色液の調製は、特に制限されないが、例えば、アルコール類、水および塩基性染料を、上記した配合割合で配合して、攪拌混合すればよい。
【００２８】
本発明のゴルフボールの染色液によって染色される対象となるゴルフボールは、特に制限されず、その構造や種類によって、例えば、液体を詰めたリキッドコア、例えば、合成ゴムで形成されたソリッドコアなどからなるコアに、糸ゴムを巻きつけて、その表面にカバーを被せた糸巻きボールや、例えば、合成ゴムなどで形成された単一構造のワンピースボール、例えば、コア球にカバーを被せたツーピースボール、例えば、コア球に複数のカバーを被せたマルチピース（スリーピース、フォーピースなど）ボールなどのソリッドボールなどが挙げられる。
【００２９】
このようなゴルフボールのうち、例えば、糸巻きボールや、例えば、ツーピースボール、マルチピースボールなどのソリッドボールに用いられるカバーとしては、例えば、ウレタン樹脂カバー、ブタジエン樹脂カバー、エチレン酢酸ビニル（ＥＶＡ）樹脂カバーなどの非イオン架橋樹脂カバー、例えば、サーリンなどのイオン架橋（アイオノマー）樹脂カバー、例えば、ガタパーチャノキ、バラタなどの天然ゴムカバー、例えば、複数の樹脂を配合したフェーザブレンドカバーなどが挙げられる。
【００３０】
そして、上記した各ゴルフボールのカバーの表面には、種々のディンプルが形成されており、例えば、２０面体配列、８面体配列などの配列によって、例えば、３００〜５００個前後の多数のディンプルが形成されており、このディンプルは、その断面形状によって、例えば、なべ底相似型２重ディンプル、Ｕ字型２重ディンプル、フラット２重ディンプルなどの２重ディンプル型や、その他、例えば、シングルラジアス型、ダブルラジアス型、コーン型などに分類されている。
【００３１】
そして、本発明のゴルフボールの染色液は、上記した多岐にわたるいずれのゴルフボールであっても、濃淡なく均一に染色することができる。
【００３２】
本発明のゴルフボールの染色液によって、ゴルフボールを染色するには、特に制限されないが、例えば、後述する染色装置などを用いて、ゴルフボールを、本発明のゴルフボールの染色液に浸漬させればよい。
【００３３】
浸漬時の染色液の液温は、染色するゴルフボールの種類にもよるが、例えば、１０〜５０℃、好ましくは、２０〜４５℃である。染色液の液温が１０℃未満になると、ゴルフボールの染色に時間がかかるとともに、ゴルフボールの表面が染色されないおそれを生じる。また、染色液の液温が５０℃を超えると、塩基性染料が液中において安定せず、ゴルフボールの表面が均一に染色されないおそれを生じる。
【００３４】
また、浸漬時間は、染色するゴルフボールの種類にもよるが、例えば、１〜１５分間、好ましくは、２〜１０分間である。染色時間が１分未満であると、ゴルフボールの表面が染色されないおそれを生じる。また、染色時間が１５分を超えると、乾燥後、染色したゴルフボールの表面に、濃淡のムラを生じるおそれがある。
【００３５】
そして、このようなゴルフボールの染色は、図１および図２に示す染色装置１によって実施することが好適である。
【００３６】
図１および図２は、本発明のゴルフボールの染色装置の一実施形態を示す斜視図である。
【００３７】
図１および図２において、この染色装置１は、ゴルフボールＢを保持するホルダフレーム２と、そのホルダフレーム２に対して進退自在に挿入されるリリース杆３と、ホルダフレーム２および染色液Ｌを収容する染色容器４とを備えている。
【００３８】
ホルダフレーム２は、金属製であって、支持杆５、環状の係止リング６、環状の外周リング７、規制杆８および摘み部９を備えている。
【００３９】
支持杆５は、リリース杆３が進退自在に挿入される環状の挿入リング部１０と、その挿入リング部１０の周方向における互いに等間隔で変位した位置から、径方向外方に向かって放射状に延びる複数（３つ）の連結杆部１１とを備えている。
【００４０】
外周リング７は、支持杆５の連結杆部１１の遊端部に連結されており、これによって、支持杆５の挿入リング部１０が、外周リング７の中心に配置される。
【００４１】
そして、このホルダフレーム２では、このように支持杆５が外周リング７に連結されているものが、上下方向に所定間隔を隔てて複数（２つ）配置された状態で、それらが、上下方向に沿って配置される複数（３つ）の規制杆８によって連結されている。
【００４２】
すなわち、各規制杆８は、各外周リング７の周方向における互い等間隔で変位した位置であって、各連結杆部１１が接続されている間のほぼ中央に配置され、各外周リング７の内側に連結されている。
【００４３】
また、各規制杆８の下端部は、下側の外周リング７から、さらに延出された状態で内側方向（外周リング７の中心方向）に屈曲形成されており、その遊端部に係止リング６が連結されている。
【００４４】
すなわち、係止リング６は、外周リング７よりもやや小径（リリース杆３との間でゴルフボールＢを挟持状に係止できる径）に形成されており、下側の外周リング７から所定間隔を隔てた下方において、外周リング７とほぼ同心円状に配置されるようにして、各規制杆８の遊端部にその内側において連結されている。
【００４５】
また、各連結杆部１１のうち、特定方向に延びる上側および下側の各連結杆部１１には、略Ｕ字杆状の摘み部９が連結されている。この摘み部９は、上側の外周リング７から、さらに上方に突出した状態で、上側および下側の各連結杆部１１にわたって連結されている。
【００４６】
そして、このホルダフレーム２では、各連結杆部１１とそれら各連結杆部１１の間の外周リング７との間で囲まれる複数（３つ）の部分（外周リング７における各連結杆部１１で仕切られる複数（３つ）の部分）が、ゴルフボールＢを受け入れる受入部１２とされており、ゴルフボールＢが、受入部１２に受け入れられた状態では、規制杆８と挿入リング部１０との間で、そのゴルフボールＢの移動が規制されるように構成されている。
【００４７】
また、リリース杆３は、樹脂からなり、その上端部により大径の把持部１３が形成される円柱状に形成されており、挿入リング部１０に対して進退自在に挿入できるような径として形成されている。
【００４８】
また、染色容器４は、樹脂からなり、ホルダフレーム２の外周リング７との間に、周方向にわたって径方向において所定の隙間が形成されるような有底円筒形状に形成されている。
【００４９】
次に、この染色容器４を用いて、ゴルフボールＢを染色する方法について説明する。
【００５０】
この方法では、まず、図１に示すように、ホルダフレーム２の各挿入リング部１０にリリース杆３を挿入した状態で、複数（３つ）のゴルフボールＢを、ホルダフレーム２の各受入部１２にそれぞれ受け入れさせる。
【００５１】
各受入部１２に受け入れられたゴルフボールＢは、図６に示すように、ホルダフレーム２とリリース杆３との間で係止され、つまり、外側においてホルダフレーム２の係止リング６で、内側においてリリース杆３で挟持状に係止される。
【００５２】
次いで、このようにしてゴルフボールＢが保持されたホルダフレーム２を、図２に示すように、予め本発明の染色液Ｌで満たされている染色容器４内に配置して染色液Ｌに浸漬させ、図３に示すように、摘み部９を摘んで周方向に回転させように攪拌する。そうすると、図４に示すように、ゴルフボールＢが、受入部１２における規制杆８と挿入リング部１０との間において、受入部１２内での移動が規制されるので、ゴルフボールＢは、移動が規制された状態で転がりながら周方向に移動する。これによって、各ゴルフボールＢは、ホルダフレーム２によって保持された状態で攪拌されながら均一に染色される。
【００５３】
そして、染色の終了後、ホルダフレーム２を染色液Ｌから取り出して、例えば、図５に示すように、染色容器４の蓋１４の上方に配置した状態で、リリース杆３をホルダフレーム２の各挿入リング部１０から引き抜けば、図７に示すように、ゴルフボールＢに対するリリース杆３の係止が解除されるので、各ゴルフボールＢは、自重により脱離され蓋１４内に落下する。このようにして、各ゴルフボールＢを染色液Ｌから取り出せば、ホルダフレーム２から、染色されたゴルフボールＢを、直接手で取り出す必要がなく、染色液Ｌが手に付着することを回避して、簡易な操作によって、ゴルフボールＢを均一に染色することができる。
【００５４】
そのため、この染色装置１によれば、ユーザ自身が、簡易な操作により、ゴルフボールを自分の好みに応じた色に、きれいに染色することができる。
【００５５】
また、この染色装置１では、リリース杆３が、係止リング６および外周リング７の中心において、ゴルフボールＢを内側で係止可能なように、ホルダフレーム２の各挿入リング部１０に対して進退自在に挿入されているので、リリース杆３を中心として、その周囲に複数のゴルフボールＢを保持して、一度に複数のゴルフボールＢを染色することができる。また、染色の終了後においても、リリース杆３をホルダフレーム２の各挿入リング部１０から引き抜けば、複数のゴルフボールＢを一度にホルダフレーム２から脱離させることができる。その結果、ゴルフボールＢの染色作業の効率化および短縮化を図ることができる。
【００５６】
また、この染色装置１では、ホルダフレーム２を染色液Ｌに浸漬して周方向に回転させれば、規制杆８が、ホルダフレーム２の受入部１２内におけるゴルフボールＢの移動を規制するので、ゴルフボールＢは、移動が規制された状態で、転がりながら周方向に移動するので、より一層、均一な染色を確保することができる。
【００５７】
さらに、この染色装置１では、ゴルフボールＢが保持されたホルダフレーム２を染色容器４内に配置して攪拌させると、染色容器４の外周壁に沿ってホルダフレーム２を円滑に回転させることができる。そのため、攪拌効率を向上させることができ、より一層、均一な染色を確保することができる。
【００５８】
【実施例】
以下に、実施例および比較例を挙げて本発明をさらに具体的に説明するが、本発明は、これら実施例および比較例に何ら限定されるものではない。
【００５９】
（１）実施例および比較例の調製
実施例１
エタノール１０重量部、水９０重量部を混合し、その混合液に、塩基性染料（商品名：Ａｉｚｅｎ  Ｖｉｃｔｏｒｉａ  Ｐｕｒｅ  Ｂｌｕｅ  ＢＯＨ、保土谷化学工業社製）を、０．９２重量％となる割合で混合して染色液を調製した。
【００６０】
次いで、上記した染色装置を用いて、上記した方法によって、ゴルフボール（銘柄：ＤＤＨ  ＴＯＵＲ  ＳＰＥＣＩＡＬ  ＳｏｆｔＦｅｅｌｉｎｇ、ダンロップ社製）を、得られた染色液に浸漬し、液温１５℃で１分間攪拌することにより染色した。染色の終了後、染色されたゴルフボールを自然乾燥した後、染色状態およびゴルフボールの表面状態を観察した。その結果を表１に示す。
【００６１】
実施例２〜１３および比較例１〜５
表１に示す処方において、実施例１と同様の操作によって、染色液をそれぞれ調製した。
【００６２】
次いで、上記した染色装置を用いて、上記した方法によって、表１に示す銘柄のゴルフボールを、得られた染色液にそれぞれ浸漬し、表１に示す液温および攪拌時間で染色した。染色の終了後、染色されたゴルフボールを自然乾燥した後、染色状態およびゴルフボールの表面状態を観察した。その結果を表１に示す。
【００６３】
【表１】
2004180921.tif 000003
【発明の効果】
以上述べたように、本発明のゴルフボールの染色液によれば、多岐にわたるゴルフボールを、濃淡なく均一に染色することができる。
【００６４】
また、本発明のゴルフボールの染色装置によれば、ユーザ自身が、簡易な操作により、ゴルフボールを自分の好みに応じた色に、きれいに染色することができる。
【図面の簡単な説明】
【図１】本発明のゴルフボールの染色装置の一実施形態（ホルダフレームにゴルフボールを受け入れさせる状態）を示す斜視図である。
【図２】図１に示す染色装置において、ホルダフレームを染色容器内に配置する状態を示す斜視図である。
【図３】図１に示す染色装置において、ホルダフレームを染色容器内で回転させる状態を示す斜視図である。
【図４】図３の状態を示す平面図である。
【図５】図１に示す染色装置において、リリース杆をホルダフレームの各挿入リング部から引き抜く状態を示す斜視図である。
【図６】図１に示す染色装置において、ゴルフボールがリリース杆とホルダフレームとの間で挟持状に係止されている状態を示す要部側面図である。
【図７】図６に示す状態から、リリース杆をホルダフレームの各挿入リング部から引き抜いて、ホルダフレームから脱離させる状態を示す要部側面図である。
【符号の説明】
１  染色装置
２  ホルダフレーム
３  リリース杆
４  染色容器
６  係止リング
７  外周リング
８  規制杆
Ｂ  ゴルフボール
【図１】
2004180921.tif 000004
【図２】
2004180921.tif 000005
【図３】
2004180921.tif 000006
【図４】
2004180921.tif 000007
【図５】
2004180921.tif 000008
【図６】
2004180921.tif 000009
【図７】
2004180921.tif 000010